(57)【特許請求の範囲】
【請求項１】
開閉する一対の挟持部と、
該一対の挟持部を開閉させる一対の把持部と、
前記一対の挟持部の外面に配置され、電線を間に仮止めする複数の突起部と、を備える間接活線工事用クリップ。
【請求項２】
前記複数の突起部は、可撓性を有する樹脂部材により構成される請求項１記載の間接活線工事用クリップ。
【発明の詳細な説明】
【技術分野】
【０００１】
本発明は、間接活線工事用クリップに関する。より詳しくは、間接活線工事中に、開放した電線を仮止めできる間接活線工事用クリップに関する。
【背景技術】
【０００２】
従来、間接活線工事用クリップとしては、特許文献１に開示された技術が知られている（例えば、特許文献１参照）。
特許文献１に開示された技術では、間接活線工事用クリップは、開閉する一対の挟持部と該一対の挟持部を開閉させる把持部とを有する。この間接活線工事用クリップは、挟持部の外面にバンド片を挿通させる溝孔状の取付孔を有する。
【先行技術文献】
【特許文献】
【０００３】
【特許文献１】特開平１０−２７１６２８号公報
【発明の概要】
【発明が解決しようとする課題】
【０００４】
ところで、間接活線工事によって配電変圧器の吊替えや高圧カットアウトの取替えを行う際には、高圧引下線を取り外して電路を開放する。
具体的には、高圧引下線は充電状態であるため、先ず間接シートを高圧引下線に被覆し、その後高圧引下線を取り外す。このとき取り外された高圧引下線は、間接活線工事用クリップを用いて高圧線や未だ取り外していない高圧引下線に仮止めされる。
間接活線工事用クリップを用いて取り外された高圧引下線を仮止めする作業では、取り外された高圧引下線と高圧線や未だ取り外していない高圧引下線とを同時に挟み仮止めする必要がある。この取り外された高圧引下線は、クリップの一対の挟持部から抜け出し易く、上記作業は、作業者にとって煩わしいものであった。
【０００５】
本発明は、上記課題を解決するためのものであり、その目的は、間接活線工事中に、開放された電線を容易に仮止めできる間接活線工事用クリップを提供することにある。
【課題を解決するための手段】
【０００６】
（１）本発明に係る間接活線工事用クリップは、開閉する一対の挟持部と、該一対の挟持部を開閉させる一対の把持部と、前記一対の挟持部の外面に配置される複数の突起部と、を備える。
【０００７】
（２）前記複数の突起部は、可撓性を有する樹脂部材により構成されることが好ましい。
【発明の効果】
【０００８】
本発明によれば、間接活線工事中に開放された電線を容易に仮止めできる間接活線工事用クリップを提供することができる。
【図面の簡単な説明】
【０００９】
【図１】本発明の第１実施形態に係る間接活線工事用クリップを示す図であり、図１（ａ）は、斜視図であり、図１（ｂ）は、側面図であり、図１（ｃ）は、平面図である。
【図２】上記実施形態に係る高圧線側に残った高圧引下線を間接活線工事用クリップの突起部間に仮止めした状態を示す図であり、図２（ａ）は、全体図であり、図２（ｂ）は、高圧線側に残った高圧引下線を仮止めした間接活線工事用クリップの拡大図である。
【図３】本発明の第２実施形態に係る間接活線工事用クリップを示す図であり、図３（ａ）は、斜視図であり、図３（ｂ）は、側面図であり、図３（ｃ）は、平面図である。
【図４】上記実施形態に係る取り外された高圧引下線を間接シートに取り付けた間接活線工事用クリップの突起部間に仮止めした状態を示す図であり、図４（ａ）は、全体図であり、図４（ｂ）は、取り外された高圧引下線を仮止めした間接活線工事用クリップの拡大図である。
【発明を実施するための形態】
【００１０】
以下、図面を参照して本発明の実施形態について説明する。
【００１１】
＜第１実施形態＞
［間接活線工事用クリップの構成］
最初に、本実施形態に係る間接活線工事用クリップの構成を説明する。
間接活線工事用クリップ１は、間接活線工事によって配電変圧器１００の吊替えや高圧カットアウトの取替えを行う際に、切断して高圧線Ｍ１側に残った高圧引下線ＬＡを仮止めする（図２参照）。
【００１２】
図１に示すように、間接活線工事用クリップ１は、第１挟持部材２と、第２挟持部材３と、コイルバネ４と、を有する。
【００１３】
第１挟持部材２および第２挟持部材３は、長手方向の偏った位置で屈曲された矩形の板状に形成される。この第１挟持部材２および第２挟持部材３は、硬質のプラスチックにより構成され、絶縁性を有する。
第１挟持部材２および第２挟持部材３は、屈曲部分に、幅方向に延びる軸２ａ，３ａを有する。第１挟持部材２および第２挟持部材３は、互いの軸２ａ，３ａを合わせ、軸２ａ，３ａを中心として互いに相手方に対して回動可能に軸支される。
第１挟持部材２および第２挟持部材３のそれぞれは、軸２ａ，３ａを境にして、一方側に挟持部５を有し、他方側に把持部６を有する。
【００１４】
各挟持部５は、同じ略直方体形状であり、基端側において軸２ａ，３ａに連結される。
各挟持部５は、第１挟持部材２および第２挟持部材３の一対の挟持部５，５の対向する内面に長手方向に並ぶ２つの凹部５１，５２を有する。各挟持部５の基端側とは反対側である先端側の凹部５１は、湾曲した円弧形状である。各挟持部５の基端側の凹部５２は、矩形である。
各挟持部５は、先端に両側面に貫通する貫通孔５３を有する。貫通孔５３の孔径は、間接シート１０（図２参照）の棒状体を貫通孔５３に挿通可能な様に、棒状体の径よりも大きく設定される。
【００１５】
各把持部６は、挟持部５よりも小さい同じ略直方体形状であり、軸２ａ，３ａに対して挟持部５とは反対側に設けられる。各把持部６の外面は、滑り止め加工を施したグリップ面６１に加工される。各把持部６の上端部は、外方に突出する鍔部６２を有する。
【００１６】
コイルバネ４は、本体部４１を軸２ａ，３ａに内装するとともに各端部４２を一対の把持部６，６のそれぞれに内装する。このコイルバネ４は、一対の挟持部５，５を閉じる方向に力を付勢している。このため、作業者は、間接活線工具を用いて一対の把持部６，６をコイルバネ４の付勢力に抗って近づけると、一対の挟持部５，５を開くことができる。一方、作業者が一対の把持部６，６を解放すると、コイルバネ４の付勢によって一対の挟持部５，５は閉じる。
【００１７】
ここで、各挟持部５の外面は、外向きに突出する蒲鉾状の複数の突起部７を有する。この突起部７は、軟質のシリコンやプラスチックあるいはエチレンプロピレン系ゴムにより構成され、可撓性を有する。突起部７の幅は、各挟持部５の外面の幅に一致している。突起部７の突出量は、後述するように突起部７間に高圧引下線ＬＡを挟み込んだ場合であっても先端側に余裕を有する長さに設定される。
複数の突起部７は、間接活線工事用クリップ１の各挟持部５の長手方向に１列に並ぶ。突起部７間の隙間は、高圧引下線ＬＡを挟み込むことが可能であり、かつ、挟み込んだ高圧引下線ＬＡを抜け出させない広さに設定される。
【００１８】
［間接活線工事用クリップの使用例１］
図２に示すように、間接シート１０は、間接活線工事によって配電変圧器１００の吊替えや高圧カットアウトの取替えを行う際に、高圧引下線Ｌ１を切断するため、切断して高圧線Ｍ１側に残った高圧引下線ＬＡを仮止めする。
【００１９】
先ず、作業者は、高圧線Ｍ１に間接活線工事用クリップ１を取り付ける。間接活線工事用クリップ１は、間接活線工具を用いて一対の把持部６，６をコイルバネ４の付勢力に抗って近づけ一対の挟持部５，５を開き、高圧線Ｍ１を挟む。
【００２０】
次に、作業者は、コネクタによって高圧線Ｍ１に接続された高圧引下線Ｌ１を切断すると、切断した高圧線Ｍ１側の高圧引下線ＬＡは、高圧線Ｍ１から短く突き出る。
【００２１】
次に、作業者は、切断した高圧線Ｍ１側の高圧引下線ＬＡを、間接活線工事用クリップ１における一対の挟持部５，５の外面に設けられた複数の突起部７のいずれかの突起部７間に挟み込み、仮止めする。このとき、切断した高圧線Ｍ１側の高圧引下線ＬＡにおける充電部が露出した先端ＬＳを、幅を挟持部５の外面の幅に一致させた突起部７間の略中央に配置する。これにより、切断した高圧線Ｍ１側の高圧引下線ＬＡを突起部７間に挟み込むだけで、高圧引下線ＬＡの充電部が露出した先端ＬＳを安全に保護することができる。
【００２２】
以上の本実施形態に係る間接活線工事用クリップ１によれば、以下の効果を奏する。
【００２３】
（１）間接活線工事用クリップ１は、開閉する一対の挟持部５，５と、該一対の挟持部５，５を開閉させる一対の把持部６，６と、一対の挟持部５，５の外面に配置される複数の突起部７と、を備える。このため、間接活線工事中に切断した高圧線Ｍ１側の高圧引下線ＬＡを、間接活線工事用クリップ１の複数の突起部７のいずれかの突起部７間に挟み込める。よって、作業者は、他の工具を必要とせず、高圧線Ｍ１に取り付けられた間接活線工事用クリップ１のみを用いて切断した高圧線Ｍ１側の高圧引下線ＬＡを容易に仮止めできる。その結果、作業に必要な工具点数を削減することができ、作業能率を向上することができる。
【００２４】
（２）複数の突起部７は、可撓性を有する樹脂部材により構成される。これにより、複数の突起部７は変形し易く、高圧引下線ＬＡを突起部７間に挟み易くなる。
【００２５】
＜第２実施形態＞
本実施形態では、上記実施形態と複数の突起部７Ａが異なるため、その特徴部分を説明し、上記実施形態と同構成な部分の説明を省略する。
【００２６】
間接活線工事用クリップ１Ａは、上記実施形態とは異なり、間接活線工事によって配電変圧器１００の吊替えや高圧カットアウトの取替えを行う際に、端子１０１から鉛直方向に垂れ下がった取り外された高圧引下線ＬＢを仮止めすることもできる（図４参照）。
【００２７】
［間接活線工事用クリップの構成］
ここで、各挟持部５の外面は、外向きに突出する棒状の複数の突起部７Ａを有する。この突起部７Ａは、軟質のシリコンやプラスチックあるいはエチレンプロピレン系ゴムにより構成され、可撓性を有する。突起部７Ａの突出量は、突起部７Ａ間に高圧引下線ＬＢを挟み込んだ場合であっても先端側に余裕を有する長さに設定される。
【００２８】
複数の突起部７Ａは、間接シート１０の幅方向と一致する間接活線工事用クリップ１Ａの各挟持部５の長手方向に２列に並ぶ。この２列の配列は、各挟持部５の長手方向に順に複数の突起部７Ａを等しく配置した等配列に構成される。
突起部７Ａ間の隙間は、高圧引下線ＬＢを挟み込むことが可能であり、かつ、挟み込んだ高圧引下線ＬＢを抜け出させない広さに設定される。
【００２９】
［間接活線工事用クリップの使用例２］
図４に示すように、間接活線工事では、高圧線Ｍ１から高圧引下線Ｌ１を取り外して電路を開放する。このとき取り外された高圧引下線ＬＢを、間接シート１０に取り付けられた間接活線工事用クリップ１Ａにおける一対の挟持部５，５の外面に設けられた複数の突起部７Ａのいずれかの突起部７Ａ間に挟み込み、仮止めする。
【００３０】
先ず、作業者は、間接活線工具を用いて間接シート１０の第１クリップ１１および第２クリップ１２の一対の挟持部を開き、高圧引下線Ｌ１に第１クリップ１１および第２クリップ１２を取り付ける。これにより、間接シート１０は、高圧引下線Ｌ１に被覆される。
【００３１】
次に、作業者は、高圧引下線Ｌ１に被覆された間接シート１０に間接活線工事用クリップ１Ａを取り付ける。間接活線工事用クリップ１Ａは、間接活線工具を用いて一対の把持部６，６をコイルバネ４の付勢力に抗って近づけ挟持部５，５同士を開いた状態で間接シート１０を挟む。そして、間接シート１０を挟んだ間接活線工事用クリップ１Ａは、間接活線工具を用いて一対の把持部６，６を解放してコイルバネ４の付勢によって一対の挟持部５，５を閉じることで、間接シート１０に取り付けられる。
【００３２】
間接シート１０に取り付けられた間接活線工事用クリップ１Ａは、長手方向を水平方向に延ばした状態となる。
【００３３】
そして、作業者がコネクタによって高圧線Ｍ１に接続された高圧引下線Ｌ１を取り外すと、取り外された高圧引下線ＬＢは、高圧引下線Ｌ１を被覆した間接シート１０と平行に端子１０１から鉛直方向に垂れ下がる。このとき、端子１０１から鉛直方向に垂れ下がった取り外された高圧引下線ＬＢは、間接シート１０に取り付けられた水平方向に延びる間接活線工事用クリップ１Ａと交差する。
【００３４】
次に、作業者は、取り外された高圧引下線ＬＢが間接活線工事用クリップ１Ａと交差した位置で、この高圧引下線ＬＢを、間接活線工事用クリップ１Ａにおける一対の挟持部５，５の外面に設けられ水平方向に並ぶ複数の突起部７Ａのいずれかの突起部７Ａ間に挟み込み、仮止めする。
ここで、複数の突起部７Ａは、一対の挟持部５，５の外面に長手方向に２列に等配列されているため、鉛直方向に垂れ下がる高圧引下線ＬＢを２列同時に多重に突起部７Ａ間に挟み込むことができる。これにより、高圧引下線ＬＢを多重に突起部７Ａ間に挟み込め、風などにより高圧引下線ＬＢを振動させても突起部７Ａ間から外れ難くなる。
【００３５】
以上の本実施形態に係る間接活線工事用クリップ１Ａによれば、上記実施形態と同様に（１），（２）の効果を奏する。
【００３６】
なお、本発明は上記実施形態に限定されず、本発明の目的を達成できる範囲で変形、改良などを行っても、本発明の範囲に包含される。
【００３７】
第２実施形態では、複数の突起部７Ａは、一対の挟持部５，５の外面に長手方向に２列並ぶものであったが、これに限られない。例えば、複数の突起部７Ａは、一対の挟持部５，５の外面に長手方向に３列以上並ぶものであってもよい。
【００３８】
また、第２実施形態における複数の突起部７Ａであっても、第１実施形態と同様に、一対の挟持部５，５の外面に長手方向に並ぶ２列の複数の突起部７Ａのうち１列の複数の突起部７Ａのいずれかの突起部７Ａ間にだけ切断した高圧線Ｍ１側の高圧引下線ＬＡの先端ＬＳを突起部７Ａ間に挟み込むものであってもよい。この場合には、高圧引下線ＬＡの充電部が露出した先端ＬＳを安全に保護することができる。
【符号の説明】
【００３９】
１…間接活線工事用クリップ
５…挟持部
６…把持部
７，７Ａ…突起部
【要約】
【課題】間接活線工事中に、開放された電線を容易に仮止めできる間接活線工事用クリップを提供する。
【解決手段】間接活線工事用クリップ１は、開閉する一対の挟持部５，５と、該一対の挟持部５，５を開閉させる一対の把持部６，６と、一対の挟持部５，５の外面に配置される複数の突起部７と、を備える。このため、間接活線工事中に切断した高圧線Ｍ１側の高圧引下線ＬＡを、間接活線工事用クリップ１の複数の突起部７のいずれかの突起部７間に挟み込める。よって、作業者は、他の工具を必要とせず、高圧線Ｍ１に取り付けられた間接活線工事用クリップ１のみを用いて切断した高圧線Ｍ１側の高圧引下線ＬＡを容易に仮止めできる。その結果、作業に必要な工具点数を削減することができ、作業能率を向上することができる。
【選択図】図１【図１】
0005497146.tif 000002
【図２】
0005497146.tif 000003
【図３】
0005497146.tif 000004
【図４】
0005497146.tif 000005